(57)【特許請求の範囲】
【請求項１】
枠体内に開閉自在に引戸を備え、
枠体の縦枠に引戸側に対向した錠受けを備え、
引戸の戸先に錠受けに係止するラッチを有した錠ケースを備え、
この錠ケースは、ラッチが錠受けに係止したとき、当該ラッチの切り欠きに係合してラッチの動きを規制するレバーと、引戸の可動引手の操作に連動するスライド板と、引戸の可動引手を掴んで当該引戸を開けるとき、前記スライド板の動作に連動して前記レバーとラッチの係合を解除するラッチ解除レバーとを備え、
引戸の錠が施解錠つまみ或いはキーの操作により施錠された場合、引戸の可動引手を掴んでも、スライド板が動作せずに、ラッチ解除レバーがレバーとラッチの係合を解除しない構成としたことを特徴とする建具。
【請求項２】
請求項１記載の建具において、
前記錠ケースは錠受けを収容する第一の溝を備え、
前記ラッチは鉛直面内を揺動して、第一の溝に錠受けが収容されたとき、この第一の溝と協働して錠受けの四方を囲う第二の溝を備え、
前記縦枠と前記引戸間には当該引戸を閉じた場合に手指を挟んでもその損傷を防止できるように適宜設定される室外側と室内側の幅Ｌ１、及び引戸と戸先面の幅Ｌ２を有する手指挟み防止体を備え、前記引戸を閉じた場合、ラッチが引戸を係止して、手指挟み防止体による引戸の反発を防止する構成としたことを特徴とする建具。
【発明の詳細な説明】
【０００１】
【発明の属する技術分野】
本発明は、例えば玄関引戸に用いられて好適な建具に関する。
【０００２】
【従来の技術】
一般に、玄関引戸に用いられて好適な建具は、躯体に取り付けられた枠体内に開閉自在に引戸を備えている。
【０００３】
この種の玄関引戸では枠体の縦枠に引戸側に対向した錠受けを備え、引戸の戸先にはこの錠受けに係止するラッチを有した錠ケースを備えている。この引戸を閉じる場合、引戸の戸先が縦枠に当接すると、まず、引戸側に設けたラッチが枠体側の錠受けに係合し、枠体と引戸との間に隙間があかないように、このラッチによって引戸が一時的に係止される。
【０００４】
なお、この状態では、引戸の錠がかかったわけではなく、施錠操作があって始めて上記ラッチが固定されて引戸が施錠される。
【０００５】
【発明が解決しようとする課題】
しかしながら、従来の構成では、ラッチと錠受けとの係合が不完全になり易く、これが不完全になった場合、引戸を閉じた際の反動によって、枠体と引戸との間に隙間があいてしまうという問題がある。
【０００６】
また、従来、引戸の戸先と枠体の縦枠の間に手指を挟んだ場合、手指を傷めないようにするため、枠体と引戸間に例えば軟質ゴム製の手指挟み防止体を備えたものが提案されている。しかし、この手指挟み防止体を設けた場合、その分だけ引戸を閉じた際の反動が大きくなり、この引戸の反発によって枠体と引戸との間に隙間があき易くなるという問題がある。
【０００７】
そこで、本発明の目的は、ラッチと錠受けとの係合がほぼ確実におこなわれ、引戸の戸先と枠体の縦枠の間に手指を挟んだ場合、手指を傷めることのない構成を有した建具を提供することにある。
【０００８】
【課題を解決するための手段】
請求項１の発明は、枠体内に開閉自在に引戸を備え、枠体の縦枠に引戸側に対向した錠受けを備え、引戸の戸先に錠受けに係止するラッチを有した錠ケースを備え、この錠ケースは、ラッチが錠受けに係止したとき、当該ラッチの切り欠きに係合してラッチの動きを規制するレバーと、引戸の可動引手の操作に連動するスライド板と、引戸の可動引手を掴んで当該引戸を開けるとき、前記スライド板の動作に連動して前記レバーとラッチの係合を解除するラッチ解除レバーとを備え、引戸の錠が施解錠つまみ或いはキーの操作により施錠された場合、引戸の可動引手を掴んでも、スライド板が動作せずに、ラッチ解除レバーがレバーとラッチの係合を解除しない構成としたものである。
【０００９】
本発明では、錠ケースの第一の溝に錠受けが収容されたとき、ラッチは鉛直面内を揺動して、この第一の溝と協働して錠受けの四方を囲うので、ラッチの係合が不完全になることがない。
【００１１】
本発明では、引戸の戸先に錠受けに係止するラッチを有した錠ケースを備えたため、引戸が閉じられた場合、このラッチが引戸を係止するので、引戸の反発が防止され、縦枠と引戸との間に隙間があくことがない。そのために、縦枠と引戸との間に手指挟み防止体を設けることができ、これによって、手指を挟んでも手指を傷めることがない。
【００１２】
請求項２の発明は、請求項１の発明において、前記錠ケースは錠受けを収容する第一の溝を備え、前記ラッチは鉛直面内を揺動して、第一の溝に錠受けが収容されたとき、この第一の溝と協働して錠受けの四方を囲う第二の溝を備え、前記縦枠と前記引戸間には当該引戸を閉じた場合に手指を挟んでもその損傷を防止できるように適宜設定される室外側と室内側の幅Ｌ１、及び引戸と戸先面の幅Ｌ２を有する手指挟み防止体を備え、前記引戸を閉じた場合、ラッチが引戸を係止して、手指挟み防止体による引戸の反発を防止する構成としたものである。
【００１３】
本発明は、錠受けに係止するラッチを施解錠操作に連動して固定或いは解除可能に構成したから、ラッチと錠の構造を簡素化できる。
【００１４】
【発明の実施の形態】
以下、本発明の一実施形態を図面に基づいて説明する。
【００１５】
図１は、玄関引戸の横断面を示す。この玄関引戸（建具）は枠体１を有し、この枠体１は左右の縦枠２，３、および図示しない上枠と下枠を有する。この縦枠２，３間には、室外側１２に配置された外側の引戸４と、室内側１３に配置された内側の引戸５とが開閉自在に配置されている。
【００１６】
外側の引戸４は左右の縦框６，７と図示しない上桟と下桟を有し、内側の引戸５は、左右の縦框８，９と図示しない上桟と下桟を有している。縦框７，９は召し合わせ框であり、枠体１の中央部で重なりあっている。これらの引戸４，５はガラス１０，１１を有している。
【００１７】
上記縦枠２は、室内側部材２Ａと室外側部材２Ｂとを樹脂製のブリッジ１４で連結して構成され、上記縦枠３は、室内側部材３Ａと室外側部材３Ｂとを樹脂製のブリッジ１５で連結して構成されている。
【００１８】
各引戸４，５の縦框６，８には、図１および図２に示すように、錠ケース２０が設けられ、枠体１の左右の縦枠２，３には、各引戸４，５側に対向してそれぞれ錠受け２１が設けられている。
【００１９】
この錠受け２１はアームバー２２の保持部２４を有する。アームバー２２は必要に応じてＸ方向に引出し量を調整可能であり、引出し量調整用の目盛り２５を有する。取り付け板２３は、二つのねじ２６を用いて、図１に示す左右の縦枠２，３の内面に固定される。
【００２０】
上記錠ケース２０は、錠本体を構成する箱体３２と、取り付け板３０とで形成されている。この錠ケース２０は、図３に示すように、各引戸４，５の縦框６，８の戸先面にねじ３１を用いて固定されている。
【００２１】
上記箱体３２には、アームバー２２を収容する略Ｕ字状の第一の溝５１が形成されている。この第一の溝５１の近傍には、揺動支点軸３７を中心に、鉛直面内を揺動するラッチ３３が設けられ、このラッチ３３は、当該ラッチ３３と固定ピン３３Ａとの間に掛け渡されたばね３９のばね力によって矢印Ｒの方向（時計方向）に付勢されている。また、このラッチ３３に隣接して、揺動支点軸４１を中心に、当該ラッチ３３と同一の鉛直面内を揺動するレバー３４が設けられ、このレバー３４は、ばね６５のばね力によって矢印Ｒと反対の方向（反時計方向）に付勢されている。このばね６５は、一端が箱体３２の内面に当接し、他端が、固定ピン３２Ａを巻回した後、図中上方に延出して、レバー３４に固定されたピン３４Ａに係止されている。
【００２２】
なお、このレバー３４の先端部Ａは、後述するように、ラッチ３３の切り欠きＢに係合自在である。
【００２３】
このレバー３４の上方に重なり合うように、ラッチ解除レバー３５が設けられている。このラッチ解除レバー３５は、揺動支点軸４２を中心に揺動するとともに、この揺動支点軸４２を介して、連結片３６Ａに連結されている。この連結片３６は、スライダー３６に一体的に連結され、このスライダー３６は、上下動される。このスライダー３６は、鉛直方向に延出し、スライダー３６の上端部３６Ｂと固定ピン３２Ｂとの間にはばね４９が掛け渡され、このばね４９のばね力によって、矢印Ｔの方向に付勢されている。
【００２４】
スライダー３６の下端部３６Ｃは略直角に曲げられ、この下端部３６Ｃには、図４に示すように、可動部７１の上端が連結されている。この可動部７１は、引戸の可動引手７０に設けられ、この可動引手７０を掴んで引戸を開けるとき、可動部７１に連結されたスライダー３６が、上記ばね４９のばね力に抗して引き下げられる構成を有している。
【００２５】
また、図３において、ラッチ解除レバー３５の上方に重なり合うように、スライド板４３が設けられている。このスライド板４３の下端にはピン４６が設けられ、このピン４６は箱体３２に形成されたガイド溝４８に嵌合している。そして、後述するように、スライド板４３の上端に連結された施解錠つまみ６０を上下動させた場合、それに連動して、このスライド板４３は、上記のガイド溝４８に案内されながら上下動される。
【００２６】
このスライド板４３にはガイド溝４５が形成され、このガイド溝４５には、ラッチ解除レバー３５に固定されたピン４４が嵌合している。このガイド溝４５は、互いに略平行に上下方向に延びる第一のガイド溝４５Ａ、第二のガイド溝４５Ｂを有し、これらガイド溝４５Ａ，４５Ｂを、斜め溝４５Ｃで連結することによって構成されている。
【００２７】
上記スライド板４３が、図３に示す位置にある場合、スライダー３６が、ばね４９のばね力に抗して引き下げられ、或いはばね４９のばね力で引き上げられるとき、ラッチ解除レバー３５に固定されたピン４４は、第一のガイド溝４５Ａ内を上下動する。スライド板４３が図３の状態から下方に押し下げられた場合、上記ピン４４は斜め溝４５Ｃを通って、第二のガイド溝４５Ｂに移動する。そして、この場合、スライダー３６が上下動されると、上記ピン４４は第二のガイド溝４５Ｂ内を上下動する。
【００２８】
本実施形態では、箱体３２にアームバー２２を収容する略Ｕ字状の第一の溝５１が形成され、ラッチ３３には、第一の溝５１にアームバー２２が収容されたとき、この第一の溝５１と協働してアームバー２２の四方を囲う略Ｕ字状の第二の溝５２が形成されている。
【００２９】
第一の溝５１の溝幅Ｗ１は、アームバー２２の直径Ｗよりも調整代Ｗ２だけ大きく設定されている。
【００３０】
つぎに、図４〜図６を参照して、アームバー２２がラッチ３３にラッチされるまでの動作について説明する。
【００３１】
図４〜図６は、室外側１２に配置された外側の引戸４を示している。図４において、６１は戸先錠を示し、この戸先錠６１の錠穴に、室外側からキーを挿入して回動させると引戸４の錠が解錠される。この戸先錠６１は、施解錠つまみ６０と連動し、図４〜図６では、施解錠つまみ６０が「開」であり、解錠されている。図４では、引戸４が開かれている。
【００３２】
この状態から、引戸４が閉じられると、錠受け２１のアームバー２２がＥ方向に相対移動し、図５に示すように、アームバー２２が、錠ケース２０に形成された第一の溝５１に進入する。すると、アームバー２２で押されて、ラッチ３３が、ばね３９のばね力に抗してＦ方向に回転する。このラッチ３３が、図５に示す位置まで回転すると、レバー３４の支えがなくなり、このレバー３４がばね６５のばね力によってＧ方向に回転する。すると、上記のように、レバー３４の先端部Ａが、ラッチ３３の切り欠きＢに係合し、それ以後、ラッチ３３の時計方向への移動が規制される。この状態では、レバー３４のピン４０がラッチ解除レバー３５の先端に係止される。
【００３３】
このように、錠ケース２０に形成された略Ｕ字状の第一の溝５１に、錠受け２１のアームバー２２が収容され、ラッチ３３が鉛直面内を図５に示す位置まで揺動した場合、このラッチ３３に形成された略Ｕ字状の第二の溝５２が、第一の溝５１と協働して、アームバー２２の四方を囲う。これによれば、ラッチ３３の係合が完全になるため、ラッチ３３が外れることはない。従って、従来のものと異なり、引戸を閉じた際の反動によって、枠体と引戸との間に隙間があくといったトラブルがほぼ解消される。
【００３４】
図６において、可動引手７１を掴んで引戸４を開けると、可動部７０に連結されたスライダー３６が引き下げられ、このスライダー３６と一体にラッチ解除レバー３５が引き下げられる。
【００３５】
図６の状態では、施解錠つまみ６０が「開」であり、引戸４は解錠の状態にある。従って、上記スライド板４３は、図３に示す位置にあり、上記スライダー３６が引き下げられると、ラッチ解除レバー３５に固定されたピン４４が、第一のガイド溝４５Ａ内を下方に移動する。
【００３６】
このピン４４が、第一のガイド溝４５Ａ内を下方に移動する場合、ラッチ解除レバー３５は、その先端がピン４０を係止したまま、下方に引き下げられる。すると、このピン４０を介して、レバー３４がＳ方向（時計方向）に回動し、レバー３４の先端部Ａとラッチ３３の切り欠きＢとの係合が解除され、それに伴って、ラッチ３３がばね３９のばね力によってＲ方向（反時計方向）に回動する。従って、ラッチ３３は、図４に示す位置に復帰し、アームバー２２とラッチ３３の係合が解除される。
【００３７】
図７および図８は施錠状態を示している。
【００３８】
引戸４の錠が施錠された場合、図７に示すように、スライド板４３がＴ１方向に押し下げられる。すると、上記ピン４４が、斜め溝４５Ｃ（図３）を通って、第二のガイド溝４５Ｂに移動し、これに伴って、ラッチ解除レバー３５がＪ方向に回転する。この場合、引戸４の施錠は、上記したように、施解錠つまみ６０を押し下げるか、或いは室外側から戸先錠６１にキーを差し込んで回すか、いずれかによりおこなわれる。
【００３９】
図８に示すように、可動引手７１を掴んで引戸４を開けると、可動部７０に連結されたスライダー３６が引き下げられ、このスライダー３６と一体にラッチ解除レバー３５が引き下げられる。
【００４０】
この場合、ラッチ解除レバー３５は、その先端がレバー３４のピン４０と係合しない状態で引き下げられるので、ピン４０はいわゆる空振りされる。従って、レバー３４の先端部Ａと、ラッチ３３の切り欠きＢとの係合が維持され、アームバー２２とラッチ３３の係合が維持される。これによれば、引戸４の錠が施錠された場合、確実に施錠される。
【００４１】
図９は、別の実施の形態を示している。
【００４２】
この建具は、錠ケース２０と、錠受け２１とを有している。そして、縦枠２には、戸先の収容部２００が形成され、この収容部２００には軟質ゴム製の手指挟み防止体１００が配置されている。この手指挟み防止体１００は、引戸４を閉じた場合、縦枠２と引戸４との間に位置し、ここに手指を挟んだとき、凹んで手指の損傷を防止する。手指挟み防止体１００は、室外側１２と室内側１３に幅Ｌ１を有し、引戸４の戸先面との間には幅Ｌ２を有する。各幅Ｌ１，Ｌ２の大きさは手指の損傷を防止するため適宜設定される。
【００４３】
なお、図９では、一方の引戸について説明したが、他方の引戸についても同様の構成が適用されることは言うまでもない。
【００４４】
以上、一実施形態に基づいて本発明を説明したが、本発明は、これに限定されず、種々の変形が可能である。
【００４５】
例えば、本構造は、引き違い引戸に限定されず、片引き引戸、或いは４枚引き引戸等にも適用されることは明らかである。アームバーはＵ字状に限らずＪ字状など他の形状であってもよい。
【００４６】
【発明の効果】
請求項１の発明では、錠受けに係止するラッチを施解錠操作に連動して固定或いは解除可能に構成したから、ラッチと錠の構造を簡素化できる。
【００４７】
請求項２の発明では、錠ケースの第１の溝に錠受けが収容されたとき、ラッチは鉛直面内を揺動して、この第１の溝と協働して錠受けの四方を囲うので、ラッチの係合が不完全になることがない。また、引戸の戸先に錠受けに係止するラッチを有した錠ケースを備えたため、引戸が閉じられた場合、このラッチが引戸を係止するので、引戸の反発が防止され、枠体と引戸との間に隙間があくことがない。
【００４８】
そのため、枠体と引戸との間に手指挟み防止体を設けることができ、これによって、手指を挟んでも手指を傷めることがない。
【図面の簡単な説明】
【図１】本発明の建具の横断面図である。
【図２】錠受けと錠ケースを示す斜視図である。
【図３】錠受けと錠ケースを示す図である。
【図４】解錠時の動作を説明する図である。
【図５】解錠時の動作を説明する図である。
【図６】解錠時の動作を説明する図である。
【図７】施錠時の動作を説明する図である。
【図８】施錠時の動作を説明する図である。
【図９】別の実施形態を示す横断面図である。
【符号の説明】
１  枠体
２，３  縦枠
４，５  引戸
２０  錠ケース
２１  錠受け
２２  アームバー
５１  第一の溝
５２  第二の溝
１００  手指挟み防止体
【図１】
0003542753.tif 000002
【図２】
0003542753.tif 000003
【図３】
0003542753.tif 000004
【図４】
0003542753.tif 000005
【図５】
0003542753.tif 000006
【図６】
0003542753.tif 000007
【図７】
0003542753.tif 000008
【図８】
0003542753.tif 000009
【図９】
0003542753.tif 000010